(57)【要約】      （修正有） 【課題】ろ紙が繰り返して使用でき、かつ使い捨て式であって、好ましいろ過の効果が得られるオイルフィルタを提供する。【解決手段】蓋体１と、オイルフィルタケース２と、紙を該オイルフィルタケース内に着脱自在に設置するろ紙５とを含んでなり、該蓋体の内部と該オイルフィルタケースの外周に螺刻して、該蓋体と該オイルフィルタケースとが緊密に螺着するようにするとともに、該ろ紙は外周に拡大部５３を形成するとともに、中央にキャブレタのフィルタ接続管の接続に供する中空部を形成する。【選択図】図３
0003152302.tif 000002
【実用新案登録請求の範囲】
【請求項１】
蓋体と、オイルフィルタケースと、紙を該オイルフィルタケース内に着脱自在に設置するろ紙とを含んでなり、該蓋体の内部と該オイルフィルタケースの外周に螺刻して、該蓋体と該オイルフィルタケースとが緊密に螺着するようにするとともに、該ろ紙の中央に、キャブレタのフィルタ接続管の接続に供する中空部を形成することを特徴とするオイルフィルタ。
【請求項２】
前記ろ紙に、該オイルフィルタケースとの密接度を高める拡大部を形成することを特徴とする請求項１に記載の.オイルフィルタ。
【考案の詳細な説明】
【技術分野】
【０００１】
この考案はオイルの不純物をろ過するフィルタに関する。
【背景技術】
【０００２】
従来のオイルフィルタの構造は、蓋体と、オイルフィルタケースと、ろ紙と、ガスケットセットとを含み構成される。ろ紙は複数枚を輻射状に設ける。オイルをろ過する場合は、オイルが両側の端から進入し、中間から排出される。係る方式はろ過の効果が好ましくない。しかも繰り返して使用できなく，常にろ紙を交換しなければならない。昨今の原油価格が高騰する時代にあって、常にオイルを交換することは、消費者にとって大きな支出となり、自動車を運転しようとする意欲を大幅に低減させる。
【０００３】
上述する従来のオイルフィルタを図１、２に開示する。図面によれば、オイルフィルタ１１０は、蓋体１と、オイルフィルタケース２と、複数のろ紙３と、ガスケット４と、弾性部材６とによって構成される。
【０００４】
上述するオイルフィルタ１１０を組み立てる場合は、オイルフィルタケース２内に弾性部材６を設置し、ろ紙３を収納し、ろ紙３上には上固定カバー３１と下固定カバー３２を設ける。また、弾性部材６は下固定カバー３２に密着させて固定し、オイルが進入した場合にピストン運動を行うようにする。蓋体１はオイルフィルタケース２に溶着する。
【０００５】
蓋体１と、ろ紙３との間にはガスケット４を設ける。ガスケット４は円盤状を呈し、内周に緊密リング４１を設ける。緊密リング４１はろ紙３上の上固定カバー３１に密着して、ろ過されないオイルがオイル出口１２から滲み出て、ろ過したオイルに混入し、ろ過の効果に影響することを防ぐ。
【０００６】
係るオイルフィルタにおいては、ろ過するオイルがオイル入り口１１から進入する。ろ過するオイルがガスケット４の負荷量を超えると、ガスケット４の末端から溢れ、ろ紙３に至りろ過される。フィルタエレメント３を構成するそれぞれのろ紙３には、いずれも小孔３０が穿設され、ろ過するオイルがろ紙３を通過すると、小孔３０から流れ出し、オイル出口１２からキャブレタに送られる。係る方式は、オイルが両側の端から進入して中間から排出される。そのろ過の効果は好ましくない。
【考案の開示】
【考案が解決しようとする課題】
【０００７】
この考案はろ紙が繰り返して使用でき、かつ使い捨て式であって、好ましいろ過の効果が得られるオイルフィルタを提供することを課題とする。
【課題を解決するための手段】
【０００８】
そこで、本考案者は従来のオイルフィルタに見られる欠点に鑑み鋭意研究を重ねた結果、蓋体と、オイルフィルタケースと、紙を該オイルフィルタケース内に着脱自在に設置するろ紙とを含んでなり、該蓋体の内部と該オイルフィルタケースの外周に螺刻して、該蓋体と該オイルフィルタケースとが緊密に螺着するようにするとともに、該ろ紙は外周に拡大部を形成するとともに、中央にキャブレタのフィルタ接続管の接続に供する中空部を形成するオイルフィルタの構造によって課題を解決できる点に着眼し、係る知見に基づいて本考案を完成させた。
【０００９】
以下この考案について具体的に説明する。
請求項１に記載するオイルフィルタは、蓋体と、オイルフィルタケースと、紙を該オイルフィルタケース内に着脱自在に設置するろ紙とを含んでなり、該蓋体の内部と該オイルフィルタケースの外周に螺刻して、該蓋体と該オイルフィルタケースとが緊密に螺着するようにするとともに、該ろ紙の中央に、キャブレタのフィルタ接続管の接続に供する中空部を形成する。
【００１０】
請求項２に記載する使い捨て式オイルフィルタは、請求項１におけるろ紙に、該オイルフィルタケースとの密接度を高める拡大部を形成する。
【考案の効果】
【００１１】
この考案によるオイルフィルタは、好ましいろ過の効果を具え、ろ紙を繰り返して使用でき、オイルを加えるだけで、オイル交換する必要がないため、コストを大幅に低減することができるという利点を有する。
【考案を実施するための最良の形態】
【００１２】
この考案はろ紙が繰り返して使用でき、かつ使い捨て式であって、好ましいろ過の効果が得られるオイルフィルタを提供するものであって、蓋体と、オイルフィルタケースと、紙を該オイルフィルタケース内に着脱自在に設置するろ紙とを含んでなり、該蓋体の内部と該オイルフィルタケースの外周に螺刻して、該蓋体と該オイルフィルタケースとが緊密に螺着するようにするとともに、該ろ紙は外周に拡大部を形成するとともに、中央にキャブレタのフィルタ接続管の接続に供する中空部を形成する。係るオイルフィルタの構造と特長を説明するために具体的な実施例を挙げ、図面を参照して以下に詳述する。
【実施例】
【００１３】
図３、４に、この考案によるオイルフィルタを開示する。図面によれば、オイルフィルタ１００は、蓋体１と、オイルフィルタケース２と、ろ紙５とを含んでなる。
【００１４】
上述するオイルフィルタを組み立てる場合は、複数のろ紙５をオイルフィルタケース２内に、使い捨てできるように着脱自在に設置する。ろ紙５の材質は好ましい吸水効果を有する材質を用いる。よって、由質に水分が含まれていれば、急速に吸収することができる。それぞれのろ紙５は多重ろ過効果を得るために間隔を狭くする。また、拡大部５３を設ける。拡大部５３を設けることによって、ろ紙５とオイルフィルタケース２との密接度を増すことができ、ろ過の効果を高めることができる。
【００１５】
蓋体１は内周管１３を設け、かつ蓋体１の内部とオイルフィルタケース２の外周にはそれぞれ螺刻し、蓋体１とオイルフィルタケース２とを緊密に螺着する。
【００１６】
ろ紙５は、オイルフィルタケース２内に設置する。ろ紙５は中央を中空部とし、キャブレタのフィルタ接続管を接続して、オイルフィルタを構成する。
【００１７】
図５に、この考案によるオイルフィルタの外観を開示する。図面によれば、オイルフィルタ１００は蓋体１の下面がろ紙５に接している。ろ紙５はオイルフィルタケース２内に使い捨てできるように着脱自在に設けられてオイルフィルタを構成する。
【００１８】
図６に、この考案によるオイルフィルタの内部構造を開示する。図面によれば、オイルフィルタ１０は、蓋体１にオイル入り口１１と内周管１３を設ける。ろ過するオイルはオイル入り口１１からろ紙５に至る。蓋体１の内周管１３とろ紙５の拡大部５３が緊密に接触し、ろ過しないオイルがオイル出口に滲み出ることを防ぐ。
【００１９】
図７に、この考案によるオイルフィルタの断面図を開示する。図面に開示するように、オイルフィルタ１００は、ろ紙５に拡大部５３を設ける。その目的はろ紙５と蓋体１とオイルフィルタカバー２とを緊密、かつ堅固に接触させるためである。
【００２０】
図８に、この考案によるオイルフィルタのオイルの動作を開示する。図面によれば、オイルフィルタ１００において、オイルはオイル入り口１１からろ紙５に至り、上から下へ深層ろ過され、ろ過されたオイルはオイル出口１２から蓋体１の内周管１３を経てキャブレタに送られる。ろ紙５に材質は成分が堅牢で重複して使用できる。またろ紙５は使い捨て式で、かつ拡大部５３が設けられる。よって、オイルフィルタケース２との密接度が高くなり、ろ過効果を高めることができる。しかも、ろ紙５を交換するだけで、蓋体１とオイルフィルタカバー２は繰り返し使用できる。よって、オイルを加えるだけで、オイル交換をする必要がなく、コストを大幅に節減することができる。
【００２１】
従来のオイルフィルタにおけるろ紙は、輻射状に複数枚設けられ、オイルをろ過する場合両側の端から進入して中間から排出される。よってろ過効果が好ましくない。また、ろ紙を繰り返して使用することができない。原油の価格が高騰している昨今において、常にオイル交換を行うことは、消費者にとって大きな支出になり車両を運転する意欲を低下させる。
【００２２】
これに比して本考案によるオイルフィルタは、上から下へ深層ろ過する、またろ紙は使い捨て可能であって、材質の成分は堅牢で、繰り返して使用できる。さらに、ろ紙には拡大部５３を形成してオイルフィルタケース２との密接度を高めた、よって好ましいろ過の効果が得られる。
【００２３】
また、本考案によるオイルフィルタはろ紙を交換するだけで、蓋体１とオイルフィルタケース２は繰り返して使用することができる。よって、オイルを加えるだけで、オイル交換を必要としない。このためコストを大幅に節減することができる。
【００２４】
以上はこの考案の好ましい実施の形態であって、この考案の実施の範囲を限定するものではない。よって、当業者のなしえる修正、変更であって、この考案の精神の下においてなされ、この考案に対して均等の効果を有するものは、いずれもこの考案の実用新案登録請求の範囲に属するものとする。
【図面の簡単な説明】
【００２５】
【図１】従来のオイルフィルタの分解図である。
【図２】図１に開示するオイルフィルタのろ過の動作を示した説明図である。
【図３】この考案によるオイルフィルタの分解図である。
【図４】異なる角度から見たこの考案のオイルフィルタの分解図である。
【図５】図３に開示するオイルフィルタの外観を示した斜視図である。
【図６】図３に開示するオイルフィルタの一部切り欠き説明図である。
【図７】図３に開示するオイルフィルタの構造を示した断面図である。
【図８】図３に開示するオイルフィルタのろ過の動作を示した説明図である。
【符号の説明】
【００２６】
１          蓋体
１００      オイルフィルタ
１１        オイル入り口
１１０      オイルフィルタ
１２        オイル出口
１３        内周管
２          オイルフィルタケース
３          ろ紙
３０        小孔
３１        上固定カバー
３２        下固定カバー
４          ガスケット
４１        緊密リング
５          ろ紙
５３        拡大部
６          弾性部材
【図１】
0003152302.tif 000003
【図２】
0003152302.tif 000004
【図３】
0003152302.tif 000005
【図４】
0003152302.tif 000006
【図５】
0003152302.tif 000007
【図６】
0003152302.tif 000008
【図７】
0003152302.tif 000009
【図８】
0003152302.tif 000010
【手続補正書】
【提出日】平成21年5月22日(2009.5.22)
【手続補正１】
【補正対象書類名】実用新案登録請求の範囲
【補正対象項目名】全文
【補正方法】変更
【補正の内容】
【実用新案登録請求の範囲】
【請求項１】
蓋体と、オイルフィルタケースと、該オイルフィルタケース内に着脱自在に設置するろ紙とを含んでなり、該蓋体の内部と該オイルフィルタケースの外周に螺刻して、該蓋体と該オイルフィルタケースとが緊密に螺着するようにするとともに、該ろ紙の中央に、キャブレタのフィルタ接続管の接続に供する中空部を形成することを特徴とするオイルフィルタ。
【請求項２】
前記ろ紙の上端には外周方向に迫り出し凸縁状を呈して、該オイルフィルタケースとの密接度を高める凸出部が一体に形成されることを特徴とする請求項１に記載の.オイルフィルタ。
【手続補正２】
【補正対象書類名】明細書
【補正対象項目名】０００９
【補正方法】変更
【補正の内容】
【０００９】
以下この考案について具体的に説明する。
請求項１に記載するオイルフィルタは、蓋体と、オイルフィルタケースと、該オイルフィルタケース内に着脱自在に設置するろ紙とを含んでなり、該蓋体の内部と該オイルフィルタケースの外周に螺刻して、該蓋体と該オイルフィルタケースとが緊密に螺着するようにするとともに、該ろ紙の中央に、キャブレタのフィルタ接続管の接続に供する中空部を形成する。
【手続補正３】
【補正対象書類名】明細書
【補正対象項目名】００１０
【補正方法】変更
【補正の内容】
【００１０】
請求項２に記載する使い捨て式オイルフィルタは、請求項１におけるろ紙の上端には外周方向に迫り出し凸縁状を呈して、該オイルフィルタケースとの密接度を高める凸出部が一体に形成される。
【手続補正４】
【補正対象書類名】明細書
【補正対象項目名】００１２
【補正方法】変更
【補正の内容】
【００１２】
この考案はろ紙が繰り返して使用でき、かつ使い捨て式であって、好ましいろ過の効果が得られるオイルフィルタを提供するものであって、蓋体と、オイルフィルタケースと、該オイルフィルタケース内に着脱自在に設置するろ紙とを含んでなり、該蓋体の内部と該オイルフィルタケースの外周に螺刻して、該蓋体と該オイルフィルタケースとが緊密に螺着するようにするとともに、該ろ紙には上端が外周方向に迫り出して凸縁状を呈する凸出部を一体に形成するとともに、中央にキャブレタのフィルタ接続管の接続に供する中空部を形成する。係るオイルフィルタの構造と特長を説明するために具体的な実施例を挙げ、図面を参照して以下に詳述する。
【手続補正５】
【補正対象書類名】明細書
【補正対象項目名】００１４
【補正方法】変更
【補正の内容】
【００１４】
上述するオイルフィルタを組み立てる場合は、複数のろ紙５をオイルフィルタケース２内に、使い捨てできるように着脱自在に設置する。ろ紙５の材質は好ましい吸水効果を有する材質を用いる。よって、由質に水分が含まれていれば、急速に吸収することができる。それぞれのろ紙５は多重ろ過効果を得るために間隔を狭くする。また、ろ紙５には上端が外周方向に迫り出して凸縁状を呈する凸出部５３を一体に形成する。凸出部５３を設けることによって、ろ紙５とオイルフィルタケース２との密接度を増すことができ、ろ過の効果を高めることができる。
【手続補正６】
【補正対象書類名】明細書
【補正対象項目名】００１９
【補正方法】変更
【補正の内容】
【００１９】
図７に、この考案によるオイルフィルタの断面図を開示する。図面に開示するように、オイルフィルタ１００のろ紙５には上端が外周方向に迫り出して凸縁状を呈する凸出部５３を一体に形成する。その目的はろ紙５と蓋体１とオイルフィルタカバー２とを緊密、かつ堅固に接触させるためである。
【手続補正７】
【補正対象書類名】明細書
【補正対象項目名】００２６
【補正方法】変更
【補正の内容】
【００２６】
１   蓋体
１００   オイルフィルタ
１１   オイル入り口
１１０   オイルフィルタ
１２   オイル出口
１３   内周管
２   オイルフィルタケース
３   ろ紙
３０   小孔
３１   上固定カバー
３２   下固定カバー
４   ガスケット
４１   緊密リング
５   ろ紙
５３   凸出部
６   弾性部材